(57)【要約】【課題】導体が配置された部分に貫通孔を開けることなく、１つのフラットケーブルに対してその端部以外の位置において複数のコネクタを接続する。【解決手段】ベース１１は、複数のコンタクト１３とこれらを支持するベースハウジング１４とを有する。カバーハウジング１２は、ベースハウジング１４に取り付けられ、ベース１１との間でフラットケーブル１００を保持する。フラットケーブル１００は、一方の面に伸張方向の中途位置にて伸張方向と垂直な方向に延びるように被覆部分１００ａが一部開放されて複数の導体１００ｄが露出した導体露出部分１００ｂを複数有する。カバーハウジング１２がベースハウジング１４に係合して取り付けられ、導体露出部分１００ｂがコンタクト１３に接触し、フラットケーブル１００がカバーハウジング１２によってコンタクト１３に対して押圧されて保持される。【選択図】        図１５
2010272235.tif 000002
【特許請求の範囲】
【請求項１】
平行に配列された複数の導体が絶縁被覆されて形成されたフラットケーブルに接続されるフラットケーブル用コネクタであって、
複数のコンタクトと当該コンタクトを支持するベースハウジングとを有するベースと、
前記ベースハウジングに取り付けられることで、前記ベースとの間で前記フラットケーブルを挟むように支持して保持するカバーハウジングと、
を備え、
前記フラットケーブルは、一方の面における当該フラットケーブルの伸張方向の中途位置において当該フラットケーブルの伸張方向と垂直な方向に亘って延びるように絶縁被覆の被覆部分が一部開放されて複数の前記導体が露出した導体露出部分を一つ又は複数有し、
前記カバーハウジングが前記ベースハウジングに係合して取り付けられることで、前記導体露出部分が前記コンタクトに接触するとともに、前記フラットケーブルが前記カバーハウジングによって前記コンタクトに対して押圧されて保持されることを特徴とする、フラットケーブル用コネクタ。
【請求項２】
請求項１に記載のフラットケーブル用コネクタであって、
前記カバーハウジングには、当該カバーハウジングが前記ベースハウジングに対して取り付けられる方向に向かって突出した部分として形成され、前記フラットケーブルを前記コンタクトに対して押圧する凸部が設けられていることを特徴とする、フラットケーブル用コネクタ。
【請求項３】
請求項２に記載のフラットケーブル用コネクタであって、
前記凸部は、前記カバーハウジングにおいて矩形断面の部分が直線状に延びるように形成されることで設けられ、前記フラットケーブルを押圧した状態で前記フラットケーブルの伸張方向と垂直な方向に沿って配置されることを特徴とする、フラットケーブル用コネクタ。
【請求項４】
請求項２又は請求項３に記載のフラットケーブル用コネクタであって、
前記凸部が前記フラットケーブルを押圧することで、当該フラットケーブルが複数個所で屈曲した状態で前記カバーハウジングと前記ベースとの間で保持され、
前記フラットケーブルにおける屈曲した箇所の間の前記凸部の側面に沿った位置に配置された前記導体露出部分に対して、前記コンタクトの先端部が直交する方向から当接するように配置されて接触することを特徴とする、フラットケーブル用コネクタ。
【請求項５】
請求項２乃至請求項４のいずれか１項に記載のフラットケーブル用コネクタであって、
前記ベースハウジングには、突起状に形成され、前記フラットケーブルに形成された第１の位置決め部に対して係止して当該フラットケーブルにおける前記導体露出部分の位置を前記コンタクトに対して接触させるように位置決めする第１の係止部が設けられていることを特徴とする、フラットケーブル用コネクタ。
【請求項６】
請求項５に記載のフラットケーブル用コネクタであって、
前記第１の位置決め部は、貫通孔として前記フラットケーブルに形成され、
前記第１の係止部は、貫通孔である前記第１の位置決め部を貫通して当該第１の位置決め部と係止するように形成されていることを特徴とする、フラットケーブル用コネクタ。
【請求項７】
請求項６に記載のフラットケーブル用コネクタであって、
前記カバーハウジングには、前記ベースハウジングに係合して取り付けられたときに前記第１の係止部と係合する第１の係合凹部又は第１の係合孔が設けられ、
前記第１の係止部が前記第１の位置決め部を貫通して前記第１の係合凹部又前記第１の係合孔に係合することで、前記カバーハウジングと前記ベースハウジングとの間で前記フラットケーブルを更に保持することを特徴とする、フラットケーブル用コネクタ。
【請求項８】
請求項５に記載のフラットケーブル用コネクタであって、
前記第１の位置決め部は、前記フラットケーブルの側方において当該フラットケーブルの伸張方向と垂直な方向に向かって突出した部分として形成され、
前記第１の係止部は、前記フラットケーブルの側方で当該フラットケーブルと直交する方向に沿って突出して前記第１の位置決め部と係止するように形成されていることを特徴とする、フラットケーブル用コネクタ。
【請求項９】
請求項５乃至請求項８のいずれか１項に記載のフラットケーブル用コネクタであって、
前記第１の位置決め部は、前記フラットケーブルにおいて幅方向の両側に形成されていることを特徴とする、フラットケーブル用コネクタ。
【請求項１０】
請求項９に記載のフラットケーブル用コネクタであって、
前記フラットケーブルにおいて、当該フラットケーブルが前記凸部に押圧された状態で当該凸部に隣接する部分の中心位置に対して当該フラットケーブルの伸張方向における同じ側に前記導体露出部分と前記第１の位置決め部とが配置されていることを特徴とする、フラットケーブル用コネクタ。
【請求項１１】
請求項９に記載のフラットケーブル用コネクタであって、
前記フラットケーブルにおいて、当該フラットケーブルが前記凸部に押圧された状態で当該凸部に隣接する部分を介して前記第１の位置決め部に対して当該フラットケーブルの伸張方向における反対側に配置された第２の位置決め部が形成され、
前記ベースハウジングには、突起状に形成され、前記凸部が前記フラットケーブルを押圧した状態で前記第２の位置決め部に対して係止して、当該フラットケーブルにおける前記第２の位置決め部の位置を前記ベースに対して位置決めする第２の係止部が設けられていることを特徴とする、フラットケーブル用コネクタ。
【請求項１２】
請求項１１に記載のフラットケーブル用コネクタであって、
前記第２の位置決め部は、貫通孔として前記フラットケーブルに形成され、
前記第２の係止部は、貫通孔である前記第２の位置決め部を貫通して当該第２の位置決め部と係止するように形成されていることを特徴とする、フラットケーブル用コネクタ。
【請求項１３】
請求項１２に記載のフラットケーブル用コネクタであって、
前記カバーハウジングには、前記ベースハウジングに係合して取り付けられたときに前記第２の係止部と係合する第２の係合凹部又は第２の係合孔が設けられ、
前記第２の係止部が前記第２の位置決め部を貫通して前記第２の係合凹部又は前記第２の係合孔に係合することで、前記カバーハウジングと前記ベースハウジングとの間で前記フラットケーブルを更に保持することを特徴とする、フラットケーブル用コネクタ。
【請求項１４】
請求項１１に記載のフラットケーブル用コネクタであって、
前記第２の位置決め部は、前記フラットケーブルの側方において当該フラットケーブルの伸張方向と垂直な方向に向かって突出した部分として形成され、
前記第２の係止部は、前記フラットケーブルの側方で当該フラットケーブルと直交する方向に沿って突出して前記第２の位置決め部と係止するように形成されていることを特徴とする、フラットケーブル用コネクタ。
【請求項１５】
請求項１１に記載のフラットケーブル用コネクタであって、
前記第２の位置決め部は、前記フラットケーブルの幅方向両側において当該フラットケーブルの伸張方向に沿ってそれぞれ延びる長孔状の貫通孔として形成され、
前記第２の係止部は、長孔状の貫通孔である前記第２の位置決め部を貫通し、前記凸部が前記ベースに対して相対変位しているときは前記第２の位置決め部の内側における相対位置が変位し、前記凸部の前記ベースに対する相対変位が終了したときには前記第２の位置決め部と係止することを特徴とする、フラットケーブル用コネクタ。
【請求項１６】
請求項１１に記載のフラットケーブル用コネクタであって、
前記第２の位置決め部は、前記フラットケーブルの幅方向両側において当該フラットケーブルの伸張方向に沿ってそれぞれ延びるように切り欠かれた切欠部として形成され、
前記第２の係止部は、切欠部である前記第２の位置決め部の側方で前記フラットケーブルと直交する方向に沿って突出し、前記凸部が前記ベースに対して相対変位しているときは前記第２の位置決め部の側方における相対位置が変位し、前記凸部の前記ベースに対する相対変位が終了したときには前記第２の位置決め部と係止することを特徴とする、フラットケーブル用コネクタ。
【請求項１７】
請求項１乃至請求項１６のいずれか１項に記載のフラットケーブル用コネクタと、
前記フラットケーブル用コネクタが接続される前記フラットケーブルと、
を備えていることを特徴とする、ハーネス。
【請求項１８】
請求項１７に記載のハーネスであって、
前記フラットケーブル用コネクタが複数備えられ、当該複数のフラットケーブル用コネクタが前記フラットケーブルに沿って直列に配置されていることを特徴とする、ハーネス。
【発明の詳細な説明】
【技術分野】
【０００１】
本発明は、平行に配列された複数の導体が絶縁被覆されて形成されたフラットケーブルに接続されるフラットケーブル用コネクタ、及びこのフラットケーブル用コネクタを備えるハーネス（ケーブルハーネス）に関する。
【背景技術】
【０００２】
従来より、平行に配列された複数の導体が絶縁被覆されて形成されたフラットケーブルに接続されるフラットケーブル用コネクタが知られている（特許文献１乃至特許文献３を参照）。特許文献１に開示されたフラットケーブル用コネクタにおいては、フラットケーブルの末端部分である端部が載置される凹部が形成されたハウジングと、その凹部を覆う金属カバーと、ハウジングの外殻を構成するシェルとが備えられ、コンタクトが上記凹部に並設配置されている。そして、特許文献１のフラットケーブル用コネクタは、フラットケーブルの端部をプリント基板に接続するために用いられる。
【０００３】
特許文献２に開示されたフラットケーブル用コネクタは、フラットケーブルの導体に貫通する突起を有するピアシング部と、相手側コネクタのコンタクトに接続する接続部と、ピアシング部と接続部とを連結する連結部とを備えて構成されている。そして、ピアシング部をフラットケーブルの導体に貫通させて複数配置し、各フラットケーブル用コネクタに相手側コネクタを接続することで、１つのフラットケーブルに対して複数の相手側コネクタを直列に接続するデイジーチェーン接続を行うことができる。
【０００４】
特許文献３に開示されたフラットケーブル用コネクタは、一対のフラットケーブルのそれぞれの末端部分である各端部を収容するハウジングと、このハウジングに保持される複数の端子とを備え、中継コネクタとして構成されている。そして、特許文献３のフラットケーブル用コネクタは、一対のフラットケーブルの端部同士を接続するために用いられる。
【先行技術文献】
【特許文献】
【０００５】
【特許文献１】特開２００８−５３１２３号公報
【特許文献２】特開２００５−１２２９８８号公報
【特許文献３】特開２００８−５３００５号公報
【発明の概要】
【発明が解決しようとする課題】
【０００６】
特許文献１に開示のフラットケーブル用コネクタの場合、フラットケーブルの端部に対してしか接続することができないため、１つのフラットケーブルを用いてデイジーチェーン接続等のように３つ以上のコネクタを接続することができない。即ち、１つのフラットケーブルに対してその端部以外の位置において１つ又は複数のコネクタを接続することができない。また、特許文献２に開示のフラットケーブル用コネクタの場合、１つのフラットケーブルに対して端部以外の位置において複数のコネクタを接続することができるものの、ピアシング部をフラットケーブルの導体に対して貫通させることが必要となる。このように、フラットケーブルにおける導体が配置された部分に対して貫通孔を開けなくてはならないため、その貫通孔から裂け易くなる可能性があり、フラットケーブルが破れてしまう虞がある。また、特許文献３に記載開示のフラットケーブル用コネクタの場合、フラットケーブルの端部同士しか接続することができないため、１つのフラットケーブルに対してその端部以外の位置において１つ又は複数のコネクタを接続することができない。
【０００７】
本発明は、上記実情に鑑みることにより、フラットケーブルにおける導体が配置された部分に貫通孔を開けることなく、１つのフラットケーブルに対してその端部以外の位置において１つ又は複数のコネクタを接続することができる、フラットケーブル用コネクタを提供することを目的とする。また、そのフラットケーブル用コネクタを備えるハーネス（ケーブルハーネス）を提供することも目的とする。
【課題を解決するための手段】
【０００８】
上記目的を達成するための第１発明に係るフラットケーブル用コネクタは、平行に配列された複数の導体が絶縁被覆されて形成されたフラットケーブルに接続されるフラットケーブル用コネクタに関する。そして、第１発明に係るフラットケーブル用コネクタは、複数のコンタクトと当該コンタクトを支持するベースハウジングとを有するベースと、前記ベースハウジングに取り付けられることで、前記ベースとの間で前記フラットケーブルを挟むように支持して保持するカバーハウジングと、を備え、前記フラットケーブルは、一方の面における当該フラットケーブルの伸張方向の中途位置において当該フラットケーブルの伸張方向と垂直な方向に亘って延びるように絶縁被覆の被覆部分が一部開放されて複数の前記導体が露出した導体露出部分を一つ又は複数有し、前記カバーハウジングが前記ベースハウジングに係合して取り付けられることで、前記導体露出部分が前記コンタクトに接触するとともに、前記フラットケーブルが前記カバーハウジングによって前記コンタクトに対して押圧されて保持されることを特徴とする。
【０００９】
この発明によると、カバーハウジングがベースのベースハウジングに係合して取り付けられることで、フラットケーブルがその端部以外の位置においてコネクタに保持される。そして、フラットケーブルには、その伸張方向における中途において導体露出部分が設けられており、カバーハウジングがベースハウジングに取り付けられることで、フラットケーブルは、導体露出部分がコンタクトに対して押圧された状態で保持される。このため、フラットケーブルにおける導体が配置された部分に貫通孔が開けられることなく、フラットケーブルの導体とコンタクトとの電気的接続が確保され、フラットケーブルがコネクタに接続されて保持される。そして、１つのフラットケーブルにその端部以外の位置に１つ又は複数の導体露出部分を設けることで、１つのフラットケーブルに対してその端部以外の位置において１つ又は複数のコネクタを接続することができる。また、１つのフラットケーブルを用いてデイジーチェーン接続等のように３つ以上のコネクタを接続することを、フラットケーブルにおける導体が配置された部分に貫通孔を開けることなく実現することができる。
【００１０】
従って、本発明によると、フラットケーブルにおける導体が配置された部分に貫通孔を開けることなく、１つのフラットケーブルに対してその端部以外の位置において１つ又は複数のコネクタを接続することができる、フラットケーブル用コネクタを提供することができる。
【００１１】
第２発明に係るフラットケーブル用コネクタは、第１発明のフラットケーブル用コネクタにおいて、前記カバーハウジングには、当該カバーハウジングが前記ベースハウジングに対して取り付けられる方向に向かって突出した部分として形成され、前記フラットケーブルを前記コンタクトに対して押圧する凸部が設けられていることを特徴とする。
【００１２】
この発明によると、カバーハウジングには、ベースハウジングへの取り付け方向に突出した凸部が形成され、この凸部によってフラットケーブルが押圧保持される。このため、凸部を設けるという簡素な構成によって、カバーハウジングのベースハウジングへの取り付け時に同時にフラットケーブルを押圧可能な構成を容易に形成することができる。
【００１３】
第３発明に係るフラットケーブル用コネクタは、第２発明のフラットケーブル用コネクタにおいて、前記凸部は、前記カバーハウジングにおいて矩形断面の部分が直線状に延びるように形成されることで設けられ、前記フラットケーブルを押圧した状態で前記フラットケーブルの伸張方向と垂直な方向に沿って配置されることを特徴とする。
【００１４】
この発明によると、矩形断面で直線状に延びる凸部によってフラットケーブルがその伸張方向と垂直な方向に沿って押圧される。このため、簡素な構成の凸部によって効率よくフラットケーブルの導体露出部分とコンタクトとを接触させてフラットケーブルを押圧保持することができる。
【００１５】
第４発明に係るフラットケーブル用コネクタは、第２発明又は第３発明のフラットケーブル用コネクタにおいて、前記凸部が前記フラットケーブルを押圧することで、当該フラットケーブルが複数個所で屈曲した状態で前記カバーハウジングと前記ベースとの間で保持され、前記フラットケーブルにおける屈曲した箇所の間の前記凸部の側面に沿った位置に配置された前記導体露出部分に対して、前記コンタクトの先端部が直交する方向から当接するように配置されて接触することを特徴とする。
【００１６】
カバーハウジングのベースハウジングへの取り付け方向における凸部の先端側でコンタクトが接触する構造の場合、カバーハウジングのベースハウジングへの係合取り付け状態が経時的に変化して取り付け方向におけるガタやへたり等の緩みが発生したり、コネクタの熱膨張が発生したりすると、導体露出部分とコンタクトとの安定した接触状態が確保し難くなってしまう虞がある。これに対し、本発明によると、フラットケーブルにおける屈曲箇所の間で凸部の側面に沿って配置された導体露出部分に向かってコンタクトの先端部が直交する方向から接触することになる。このため、カバーハウジングのベースハウジングへの係合取り付け状態の経時変化によるガタ等の緩みが発生したり、コネクタの熱膨張が発生しても、導体露出部分とコンタクトとの安定した接触状態を確保することができる。
【００１７】
第５発明に係るフラットケーブル用コネクタは、第２発明乃至第４発明のいずれかのフラットケーブル用コネクタにおいて、前記ベースハウジングには、突起状に形成され、前記フラットケーブルに形成された第１の位置決め部に対して係止して当該フラットケーブルにおける前記導体露出部分の位置を前記コンタクトに対して接触させるように位置決めする第１の係止部が設けられていることを特徴とする。
【００１８】
この発明によると、フラットケーブルに第１の位置決め部が形成され、ベースハウジングに突起状の第１の係止部が形成されている。そして、第１の位置決め部に第１の係止部が係止することで、導体露出部分の位置がコンタクトに接触するように位置決めされる。このため、フラットケーブル用コネクタをフラットケーブルに接続する際に、第１の位置決め部と第１の係止部とを係止させることで、容易に導体露出部分とコンタクトとの接触を確保することができる。
【００１９】
第６発明に係るフラットケーブル用コネクタは、第５発明のフラットケーブル用コネクタにおいて、前記第１の位置決め部は、貫通孔として前記フラットケーブルに形成され、前記第１の係止部は、貫通孔である前記第１の位置決め部を貫通して当該第１の位置決め部と係止するように形成されていることを特徴とする。
【００２０】
この発明によると、第１の位置決め部が貫通孔として形成され、この貫通孔に突起状の第１の係止部を貫通させることで、容易に導体露出部分とコンタクトとの接触を確保することができる。また、貫通孔を設けるだけで、第１の位置決め部を容易に形成することができる。
【００２１】
第７発明に係るフラットケーブル用コネクタは、第６発明のフラットケーブル用コネクタにおいて、前記カバーハウジングには、前記ベースハウジングに係合して取り付けられたときに前記第１の係止部と係合する第１の係合凹部又は第１の係合孔が設けられ、前記第１の係止部が前記第１の位置決め部を貫通して前記第１の係合凹部又前記第１の係合孔に係合することで、前記カバーハウジングと前記ベースハウジングとの間で前記フラットケーブルを更に保持することを特徴とする。
【００２２】
この発明によると、カバーハウジングにおいて、第１の位置決め部を貫通した第１の係止部と係合する第１の係合凹部または第１の係合孔が形成されている。これにより、フラットケーブルが、カバーハウジングの凸部とコンタクトとの間での保持に加えて、カバーハウジングの第１の係合凹部又は第１の係合孔とベースハウジングの第１の係止部との間でも更に保持される。よって、ベースとカバーハウジングとの間で、より強固にフラットケーブルを保持することができる。
【００２３】
第８発明に係るフラットケーブル用コネクタは、第５発明のフラットケーブル用コネクタにおいて、前記第１の位置決め部は、前記フラットケーブルの側方において当該フラットケーブルの伸張方向と垂直な方向に向かって突出した部分として形成され、前記第１の係止部は、前記フラットケーブルの側方で当該フラットケーブルと直交する方向に沿って突出して前記第１の位置決め部と係止するように形成されていることを特徴とする。
【００２４】
この発明によると、第１の位置決め部がフラットケーブルの側方で伸張方向と垂直に突出した部分として形成され、この突出した部分にフラットケーブルの側方で突起状の第１の係止部を係止させることで、容易に導体露出部分とコンタクトとの接触を確保することができる。また、フラットケーブルの側方に突出した部分を設けるだけで、第１の位置決め部を容易に形成することができる。
【００２５】
第９発明に係るフラットケーブル用コネクタは、第５発明乃至第８発明のいずれかのフラットケーブル用コネクタにおいて、前記第１の位置決め部は、前記フラットケーブルにおいて幅方向の両側に形成されていることを特徴とする。
【００２６】
この発明によると、第１の位置決め部がフラットケーブルの幅方向両側に形成されているため、第１の係止部によってフラットケーブルがその幅方向両側で係止され、導体露出部分の位置がコンタクトに接触するように位置決めされる。このため、導体露出部分とコンタクトとを接触させる位置決めの際に、フラットケーブルの幅方向における位置が不安定になってしまうことが防止され、より容易に位置決めを行うことができる。
【００２７】
第１０発明に係るフラットケーブル用コネクタは、第９発明のフラットケーブル用コネクタにおいて、前記フラットケーブルにおいて、当該フラットケーブルが前記凸部に押圧された状態で当該凸部に隣接する部分の中心位置に対して当該フラットケーブルの伸張方向における同じ側に前記導体露出部分と前記第１の位置決め部とが配置されていることを特徴とする。
【００２８】
この発明によると、フラットケーブルにおいて、凸部に隣接する部分の中心位置に対して同じ側に導体露出部分と第１の位置決め部とが配置されるため、導体露出部分に対してより接近した位置に第１の位置決め部が配置されることになる。これにより、凸部でフラットケーブルをベースに押し込むようにしながらカバーハウジングをベースハウジングに取り付ける際に、第１の位置決め部に対する導体露出部分の相対的な位置の変化をより少なくすることができる。このため、導体露出部分とコンタクトとを接触させる位置決めの際に、位置決めの誤差を更に小さくしてより位置決め精度を向上させることができる。
【００２９】
第１１発明に係るフラットケーブル用コネクタは、第９発明のフラットケーブル用コネクタにおいて、前記フラットケーブルにおいて、当該フラットケーブルが前記凸部に押圧された状態で当該凸部に隣接する部分を介して前記第１の位置決め部に対して当該フラットケーブルの伸張方向における反対側に配置された第２の位置決め部が形成され、前記ベースハウジングには、突起状に形成され、前記凸部が前記フラットケーブルを押圧した状態で前記第２の位置決め部に対して係止して、当該フラットケーブルにおける前記第２の位置決め部の位置を前記ベースに対して位置決めする第２の係止部が設けられていることを特徴とする。
【００３０】
この発明によると、フラットケーブルにおいて、凸部に隣接する部分を介して第１の位置決め部と反対側に第２の位置決め部が形成される。そして、第２の位置決め部は、ベースハウジングに形成された突起状の第２の係止部に係止して位置決めされる。このため、第１の位置決め部と第１の係止部とによって導体露出部分とコンタクトとの接触が確保された状態のフラットケーブルをベースに対して、凸部と反対側の第２の位置決め部と第２の係止部とによっても更に位置決めすることができる。これにより、導体露出部分の位置をコンタクトに接触させるようにフラットケーブルの伸張方向における両側から位置決めすることができ、導体露出部分のコンタクトに対する位置のずれが発生してしまうことを抑制できる。
【００３１】
第１２発明に係るフラットケーブル用コネクタは、第１１発明のフラットケーブル用コネクタにおいて、前記第２の位置決め部は、貫通孔として前記フラットケーブルに形成され、前記第２の係止部は、貫通孔である前記第２の位置決め部を貫通して当該第２の位置決め部と係止するように形成されていることを特徴とする。
【００３２】
この発明によると、第２の位置決め部が貫通孔として形成され、この貫通孔に突起状の第２の係止部を貫通させることで、導体露出部分のコンタクトに対する位置のずれが発生することを容易に抑制することができる。また、貫通孔を設けるだけで、第２の位置決め部を容易に形成することができる。
【００３３】
第１３発明に係るフラットケーブル用コネクタは、第１２発明のフラットケーブル用コネクタにおいて、前記カバーハウジングには、前記ベースハウジングに係合して取り付けられたときに前記第２の係止部と係合する第２の係合凹部又は第２の係合孔が設けられ、前記第２の係止部が前記第２の位置決め部を貫通して前記第２の係合凹部又は前記第２の係合孔に係合することで、前記カバーハウジングと前記ベースハウジングとの間で前記フラットケーブルを更に保持することを特徴とする。
【００３４】
この発明によると、カバーハウジングにおいて、第２の位置決め部を貫通した第２の係止部と係合する第２の係合凹部または第２の係合孔が形成されている。これにより、フラットケーブルが、凸部とコンタクトとの間での保持と、第１の係合凹部又は第１の係合孔と第１の係止部との間での保持に加え、第２の係合凹部又は第２の係合孔と第２の係止部との間でも更に保持される。よって、ベースとカバーハウジングとの間で、より強固にフラットケーブルを保持することができる。
【００３５】
第１４発明に係るフラットケーブル用コネクタは、第１１発明のフラットケーブル用コネクタにおいて、前記第２の位置決め部は、前記フラットケーブルの側方において当該フラットケーブルの伸張方向と垂直な方向に向かって突出した部分として形成され、前記第２の係止部は、前記フラットケーブルの側方で当該フラットケーブルと直交する方向に沿って突出して前記第２の位置決め部と係止するように形成されていることを特徴とする。
【００３６】
この発明によると、第２の位置決め部がフラットケーブルの側方で伸張方向と垂直に突出した部分として形成され、この突出した部分にフラットケーブルの側方で突起状の第２の係止部を係止させることで、導体露出部分のコンタクトに対する位置のずれが発生することを容易に抑制することができる。また、フラットケーブルの側方に突出した部分を設けるだけで、第２の位置決め部を容易に形成することができる。
【００３７】
第１５発明に係るフラットケーブル用コネクタは、第１１発明のフラットケーブル用コネクタにおいて、前記第２の位置決め部は、前記フラットケーブルの幅方向両側において当該フラットケーブルの伸張方向に沿ってそれぞれ延びる長孔状の貫通孔として形成され、前記第２の係止部は、長孔状の貫通孔である前記第２の位置決め部を貫通し、前記凸部が前記ベースに対して相対変位しているときは前記第２の位置決め部の内側における相対位置が変位し、前記凸部の前記ベースに対する相対変位が終了したときには前記第２の位置決め部と係止することを特徴とする。
【００３８】
この発明によると、第２の位置決め部がフラットケーブルの幅方向両側で長孔状の貫通孔として形成されている。そして、この長孔状の貫通孔に突起状の第２の係止部を貫通させた状態でカバーハウジングをベースハウジングに取り付けることで、その取り付け中には第２の係止部が長孔の長手方向に沿って相対変位し、取り付け終了時には第２の係止部が第２の位置決め部と係止する。このため、カバーハウジングの取り付け中においても第２の位置決め部と第２の係止部との位置関係が自動的に調整され、導体露出部分のコンタクトに対する位置のずれが発生することを更に容易に抑制することができる。
【００３９】
第１６発明に係るフラットケーブル用コネクタは、第１１発明のフラットケーブル用コネクタにおいて、前記第２の位置決め部は、前記フラットケーブルの幅方向両側において当該フラットケーブルの伸張方向に沿ってそれぞれ延びるように切り欠かれた切欠部として形成され、前記第２の係止部は、切欠部である前記第２の位置決め部の側方で前記フラットケーブルと直交する方向に沿って突出し、前記凸部が前記ベースに対して相対変位しているときは前記第２の位置決め部の側方における相対位置が変位し、前記凸部の前記ベースに対する相対変位が終了したときには前記第２の位置決め部と係止することを特徴とする。
【００４０】
この発明によると、第２の位置決め部がフラットケーブルの幅方向両側で長く延びる切欠部として形成されている。そして、この切欠部の側方で突起状の第２の係止部を突出させた状態でカバーハウジングをベースハウジングに取り付けることで、その取り付け中には第２の係止部が第２の位置決め部の切欠部の延在方向に沿って相対変位し、取り付け終了時には第２の係止部が第２の位置決め部と係止する。このため、カバーハウジングの取り付け中においても第２の位置決め部と第２の係止部との位置関係が自動的に調整され、導体露出部分のコンタクトに対する位置のずれが発生することを更に容易に抑制することができる。
【００４１】
また、前述の目的を達成するための第１７発明に係るハーネスは、第１発明乃至第１６発明のいずれかのフラットケーブル用コネクタと、前記フラットケーブル用コネクタが接続される前記フラットケーブルと、を備えていることを特徴とする。
【００４２】
この発明によると、第１発明乃至第１６発明のフラットケーブル用コネクタと同様の効果を奏するハーネスを実現することができる。従って、本発明によると、フラットケーブルにおける導体が配置された部分に貫通孔を開けることなく、１つのフラットケーブルに対してその端部以外の位置において１つ又は複数のコネクタを接続することができる、ハーネスを提供することができる。
【００４３】
第１８発明に係るハーネスは、第１７発明のハーネスにおいて、前記フラットケーブル用コネクタが複数備えられ、当該複数のフラットケーブル用コネクタが前記フラットケーブルに沿って直列に配置されていることを特徴とする。
【００４４】
この発明によると、導体が配置された部分に貫通孔が開けられることなく１つのフラットケーブルに対して複数のフラットケーブル用コネクタがデイジーチェーン接続されたハーネスを容易に形成することができる。
【発明の効果】
【００４５】
本発明によると、フラットケーブルにおける導体が配置された部分に貫通孔を開けることなく、１つのフラットケーブルに対してその端部以外の位置において１つ又は複数のコネクタを接続することができる、フラットケーブル用コネクタを提供することができる。また、そのフラットケーブル用コネクタを備えるハーネスを提供することができる。
【図面の簡単な説明】
【００４６】
【図１】本発明の一実施の形態に係るフラットケーブル用コネクタと、このフラットケーブル用コネクタを用いて構成された本実施形態に係るハーネスとを示す平面図である。
【図２】図１に示すハーネスを模式的に示した平面図である。
【図３】図１に示すハーネスにおけるフラットケーブルを模式的に示す平面図及び底面図である。
【図４】図３に示すフラットケーブルの一部を拡大して示す平面図である。
【図５】図１に示すフラットケーブル用コネクタとこのフラットケーブル用コネクタが接続されたフラットケーブルの一部とを示す正面図である。
【図６】図５に示すフラットケーブル用コネクタにおけるベースを示す斜視図である。
【図７】図６に示すベースにおけるコンタクトを示す斜視図である。
【図８】図６に示すベースにおけるベースハウジングを示す斜視図である。
【図９】図５に示すフラットケーブル用コネクタにおけるカバーハウジングを示す斜視図である。
【図１０】図５に示すフラットケーブル用コネクタの斜視図である。
【図１１】図５に示すフラットケーブル用コネクタの斜視図である。
【図１２】図５に示すフラットケーブル用コネクタとフラットケーブルの一部とを示す正面図である。
【図１３】図５に示すフラットケーブル用コネクタとフラットケーブルの一部とを示す斜視図である。
【図１４】図１３における一部拡大図である。
【図１５】図５に示すフラットケーブル用コネクタとフラットケーブルの一部とを示す断面図である。
【図１６】図１５における一部拡大図である。
【図１７】変形例に係るフラットケーブルの一部を示す平面図である。
【図１８】変形例に係るフラットケーブルの一部を示す平面図である。
【図１９】変形例に係るフラットケーブルの一部を示す平面図である。
【図２０】変形例に係るフラットケーブル用コネクタを示す断面図である。
【図２１】変形例に係るフラットケーブルの一部を示す平面図である。
【図２２】変形例に係るフラットケーブルの一部を示す平面図である。
【図２３】変形例に係るフラットケーブル用コネクタを示す断面図である。
【図２４】変形例に係るハーネスを示す平面図である。
【発明を実施するための形態】
【００４７】
以下、本発明を実施するための形態について図面を参照しつつ説明する。尚、本発明は、平行に配列された複数の導体が絶縁被覆されて形成されたフラットケーブルに接続され
るフラットケーブル用コネクタ、及びこのフラットケーブル用コネクタを備えるハーネスとして、種々の用途に広く適用することができるものである。
【００４８】
図１は、本発明の一実施の形態に係るフラットケーブル用コネクタ１（以下、単に「コネクタ１」という）と、このコネクタ１を用いて構成された本実施形態のハーネス（ケーブルハーネス）１０とを示す平面図である。図２は、ハーネス１０を模式的に示した正面図である。図１及び図２に示すハーネス１０は、本実施形態に係る複数のコネクタ１と、１つのフラットケーブル１００と、を備えて構成されている。フラットケーブル１００には、複数のコネクタ１が接続されている。これらの複数のコネクタ１は、フラットケーブル１００に沿って直列に配置されてこのフラットケーブル１００に接続されており、いわゆるデイジーチェーン接続により複数のコネクタ１がフラットケーブル１００に接続されている。また、各コネクタ１は、複数の基板１０１に対してそれぞれ取り付けられている。
【００４９】
図３は、フラットケーブル１００を模式的に示す平面図（図３（ａ）及び底面図（図３（ｂ））である。図４は、フラットケーブル１００の一部を拡大して示す平面図である。図３及び図４に示すように、フラットケーブル１００は、フレキシブルプリント回路基板（ＦＰＣ）として構成され、平行に配列された複数の導体１００ｄが被覆部分１００ａによって絶縁被覆されて形成されている。このフラットケーブル１００は、例えば、被覆部分１００ａを構成するフィルム状の絶縁体の間に各導体１００ｄを構成する銅箔等が設けられた構造として構成されている。尚、本実施形態については、フレキシブルプリント回路基板に限らず、フレキシブルプリント回路基板以外のフラットケーブル（例えば、フレキシブルフラットケーブル（ＦＦＣ））に対しても適用することができるものである。
【００５０】
また、フラットケーブル１００には、図３（ａ）に示す一方の面において導体露出部分１００ｂが複数設けられている。複数の導体露出部分１００ｂは、フラットケーブル１００の伸張方向（図３中において両端矢印Ａで示す方向）に沿って直列に並んで配置されている。これらの各導体露出部分１００ｂにそれぞれ対応して各コネクタ１が接続されることになる。尚、図３（ｂ）に示す他方の面には、導体露出部分１００ｂは設けられていない。また、図４によく示すように、各導体露出部分１００ｂは、フラットケーブル１００の伸張方向（図４中においても両端矢印Ａで示す）の中途位置においてそのフラットケーブル１００の伸張方向と垂直な方向に亘って延びるように絶縁被覆の被覆部分１００ａが一部開放されて複数の導体１００ｄが露出した部分として設けられている。尚、フラットケーブル１００の両端部にも、それぞれ複数の導体１００ｄの末端の部分が露出した導体末端部分１００ｃが設けられている。
【００５１】
また、フラットケーブル１００には、図４に示すように、各導体露出部分１００ｂにそれぞれ対応して、一対の第１貫通孔１００ｅと一対の第２貫通孔１００ｆとが形成されている。即ち、一対の第１貫通孔１００ｅ及び一対の第２貫通孔１００ｆは、それぞれ導体露出部分１００ｂと同数設けられている。一対の第１貫通孔１００ｅは、フラットケーブル１００において幅方向の両側に形成されている。そして、各第１貫通孔１００ｅは、フラットケーブル１００における導体１００ｄが配置されていない箇所において円形の貫通孔として形成され、本実施形態における第１の位置決め部を構成している。また、一対の第２貫通孔１００ｆは、フラットケーブル１００において幅方向の両側に形成されている。そして、各第２貫通孔１００ｆは、フラットケーブル１００における導体１００ｄが配置されていない箇所において円形の貫通孔として形成され、本実施形態における第２の位置決め部を構成している。
【００５２】
次に、本実施形態のコネクタ１について詳しく説明する。図５は、本実施形態に係るコネクタ１とこのコネクタ１が接続されたフラットケーブル１００の一部とを示す正面図で
ある。図５に示すように、コネクタ１は、ベース１１とカバーハウジング１２とを備えて構成されている。このコネクタ１は、フラットケーブル１００に対して導体露出部分１００ｂに対応した位置においてそれぞれ接続される。
【００５３】
図６は、ベース１１を示す斜視図である。図６に示すように、ベース１１は、複数のコンタクト１３と、これらの複数のコンタクト１３を支持するベースハウジング１４とを備えて構成されている。図７は、コンタクト１３を示す斜視図である。各コンタクト１３は、金属材料で形成され、フラットケーブル１００の各導体１００ｄと基板１０１における図示しない接点部とを電気的に接続するための端子部品として設けられている。そして、各コンタクト１３には、本体部１３ａと、基板側接続部１３ｂと、ケーブル側接続部１３ｃと、ケーブル押さえ部１３ｄとが設けられている。
【００５４】
コンタクト１３の本体部１３ａは、ベースハウジング１４における後述のスリット１４ｂに嵌め込まれ、これによりベースハウジング１４に支持される部分として形成されている。基板側接続部１３ｂは、基板１０１における所定の接点部と電気的に接続される部分として形成されている。ケーブル側接続部１３ｃは、本体部１３ａから垂直方向に突出して延びるように形成され、フラットケーブル１００の導体露出部分１００ｂにおける導体１００ｄに対して接触して電気的に接続される部分として形成されている。ケーブル側接続部１３の先端部は、本体部１３ａから突出する方向に対して直交する方向に屈曲するよう形成されており、ケーブル側接続部１３は、この先端部において導体露出部分１００ｂで露出した導体１００ｄに接触する。ケーブル押さえ部１３ｄは、本体部１３ａから垂直方向に突出して延びるように形成されている。そして、ケーブル押さえ部１３ｄは、ケーブル側接続部１３ｃとは異なる位置でフラットケーブル１００に対して当接して、後述するカバーハウジング１２に向かってフラットケーブル１００を押圧するように押さえて保持する部分として形成されている。
【００５５】
図８は、ベースハウジング１４を示す斜視図である。図６及び図８に示すベースハウジング１４は、樹脂材料で形成され、基板１０１に対して固定される。そして、このベースハウジング１４は、略直方体状の外形に形成され、基板１０１に固定される側と反対側の面において、長方形に開口形成されて後述するカバーハウジング１２の凸部１２ｂが挿入される開口１４ａが形成されている。ベースハウジング１４における開口１４ａの内部は、略直方形の空間として形成されている。また、ベースハウジング１４における開口１４ａが設けられる側と反対側の面及びその両側面には、各コンタクト１３が嵌め込まれるスリット１４ｂが複数形成されている。これらの各スリット１４ｂに対して各コンタクト１３の本体部１３ａが嵌め込まれ、これにより、各コンタクト１３がベースハウジング１４に支持されることになる。
【００５６】
また、ベースハウジング１４には、図６及び図８に示すように、一対の第１係止突起１４ｃと一対の第２係止突起１４ｄとが形成されている。一対の第１係止突起１４ｃは、複数のコンタクト１３が並んで配置される方向であるベースハウジング１４の幅方向（長方形の開口１４ａの長辺方向に沿った方向）の両側に形成されている。そして、各第１係止突起１４ｃは、先端が半球状に形成された突起状に形成され、フラットケーブル１００における第１貫通孔１００ｅを貫通してこの第１貫通孔１００ｅの内周の縁部と係止するように形成されている。また、この第１係止突起１４ｃは、後でも詳しく説明するように、フラットケーブル１００の第１貫通孔１００ｅに係止してこのフラットケーブル１００における導体露出部分１００ｂの位置をコンタクト１３に対して接触させるように位置決めする本実施形態の第１の係止部として設けられている。
【００５７】
一対の第２係止突起１４ｄは、ベースハウジング１４の幅方向の両側に形成されるとともに、一対の第１係止突起１４ｃに対して開口１４ａを介した反対側に配置されるように
設けられている。そして、各第２係止突起１４ｄは、先端が半球状に形成された突起状に形成され、フラットケーブル１００における第２貫通孔１００ｆを貫通してこの第２貫通孔１００ｆの内周の縁部と係止するように形成されている。また、この第２係止突起１４ｄは、後でも詳しく説明するように、フラットケーブル１００の第２貫通孔１００ｆに係止してこの第２貫通孔１００ｆの位置をベース１１に対して位置決めする本実施形態の第２の係止部として設けられている。
【００５８】
また、ベースハウジング１４には、幅方向の両側の側面のそれぞれにおいて、仮止め用ロック部１４ｅと係合ロック部１４ｆとが設けられている。仮止め用ロック部１４ｅ及び係合ロック部１４ｆは、ベースハウジング１４の幅方向両側の側面において外方に突出するように形成されている。そして、ベースハウジング１４において、開口１４ａが設けられる側を上側とした上下方向における上側に仮止め用ロック部１４ｅが設けられ、下側に係合ロック部１４ｆが設けられている。仮止め用ロック部１４ｅは、カバーハウジング１２をベースハウジング１４に対して仮止め状態で保持させるためにカバーハウジング１２と係合する部分として設けられている。一方、係合ロック部１４ｆは、フラットケーブル１００にコネクタ１を接続させた状態とするためにカバーハウジング１２をベースハウジングに対して係合させて取り付ける際に、カバーハウジング１２と係合する部分として設けられている。
【００５９】
図９は、カバーハウジング１２を示す斜視図である。また、図１０及び図１１は、カバーハウジング１２がベースハウジング１４に仮止め状態で保持された様子を示すコネクタ１の斜視図である。尚、図１０は上側からであるカバーハウジング１２側から見た斜視図であり、図１１は下側であるベース１１側から見た斜視図である。また、図１１は図６と同様の正面側から見た斜視図であり、図１０はその反対側の背面側から見た斜視図である。
【００６０】
図９乃至図１１に示すカバーハウジング１２は、樹脂材料で形成され、ベースハウジング１４に取り付けることで、ベース１１との間でフラットケーブル１００を挟むように支持して保持する部品として設けられている（図５参照）。そして、このカバーハウジング１２には、天板部１２ａと、凸部１２ｂと、一対の係合孔１２ｃと、一対の係合孔１２ｄと、一対のロックアーム１２ｅとが設けられている。
【００６１】
カバーハウジング１２の天板部１２ａは、平板状の略直方体の外形に形成され、カバーハウジング１２がベースハウジング１４に取り付けられた際に開口１４ａを覆う蓋状の部分として設けられている。凸部１２ｂは、天板部１２ａにおけるベースハウジング１４の開口１４ａに対向する面においてこの天板部１２ａから垂直に突出するように形成されている。即ち、この凸部１２ｂは、カバーハウジング１２がベースハウジング１４に対して取り付けられる方向（図１０中おいて矢印Ｂで示す方向）に向かって突出した部分として形成されている。そして、凸部１２ｂは、カバーハウジング１２において矩形断面の部分がカバーハウジング１２の幅方向（天板部１２ａの長辺方向に沿った方向）に沿って直線状に延びるように形成されることで設けられている。尚、この凸部１２ｂは、後で詳しく説明するように、フラットケーブル１００をコンタクト１３に対して押圧する部分として設けられている。
【００６２】
一対のロックアーム１２ｅは、カバーハウジング１２における幅方向の両側にそれぞれ設けられ、天板部１２ａにおける幅方向の両側の端部から天板部１２ａに対して垂直な方向で同じ方向に向かって突出するよう設けられている。この一対のロックアーム１２ｅは、カバーハウジング１２がベースハウジング１４に係合して取り付けられる際に、カバーハウジング１４と係合する部分として設けられている。そして、各ロックアーム１２ｅには、長方形の外形の長孔状の貫通孔である係合ロック孔１２ｆが形成されている。
【００６３】
ロックアーム１２ｅは、この係合ロック孔１２ｆの内周部分であってロックアーム１２ｅの先端側に配置されている部分において、ベースハウジング１４の仮止め用ロック部１４ｅ又は係合ロック部１４ｆに係合可能に形成されている。図１０及び図１１に示すように、係合ロック孔１２ｆにおいて各ロックアーム１２ｅが各仮止め用ロック部１４ｅに係合すると、カバーハウジング１２がベースハウジング１４に対して仮止め状態で保持されることになる。一方、カバーハウジング１２をベースハウジング１４に係合させて取り付ける際には、天板部１２ａを図示しない作業者が例えば指で押圧操作することでベースハウジング１４への取り付け方向（図１０中の矢印Ｂで示す方向）にカバーハウジング１２を変位させる。これにより、図５に示すように、各ロックアーム１２ｅがその係合ロック孔１２ｆにおいて各係合ロック部１４ｆに係合し、カバーハウジング１２のベースハウジング１４への係合状態での取り付けが完了することになる。
【００６４】
一対の係合孔１２ｃは、天板部１２ａの幅方向の両側に形成され、天板部１２ａを貫通する円形の貫通孔として設けられている。そして、各係合孔１２ｃは、カバーハウジング１２がベースハウジング１４に係合して取り付けられたときに各第１係止突起１４ｃと係合する本実施形態の第１の係合孔として設けられている。
【００６５】
また、一対の係合孔１２ｄは、天板部１２ａの幅方向の両側に形成されるとともに、一対の係合孔１２ｃに対して天板部１２ａの短辺方向における反対側に配置されるように設けられている。また、一対の係合孔１２ｄは、天板部１２ａを貫通する円形の貫通孔として設けられている。そして、各係合孔１２ｄは、カバーハウジング１２がベースハウジング１４に係合して取り付けられたときに各第２係止突起１４ｄと係合する本実施形態の第２の係合孔として設けられている。
【００６６】
次に、コネクタ１をフラットケーブル１００に接続する際におけるコネクタ１の作動について説明する。図１２は、コネクタ１とフラットケーブル１００の一部とを示す正面図であり、カバーハウジング１２がベースハウジング１４に仮止めされた状態を示している。コネクタ１をフラットケーブル１００に接続する場合には、基板１０１（図１２では図示を省略）に取り付けられて固定されたベース１１に対してカバーハウジング１２を仮止め状態で保持させるとともに、カバーハウジング１２とベースハウジング１４との間にフラットケーブル１００を配置する。このとき、仮止め用ロック部１４ｅにロックアーム１２ｅを係合させることでカバーハウジング１２をベースハウジング１４に仮止め状態で保持し、次いで、フラットケーブル１００をカバーハウジング１２とベースハウジング１４との間の隙間に挿通してもよい。或いは、フラットケーブル１００をベースハウジング１４の開口１４ａの上に配置し、次いで、仮止め用ロック部１４ｅにロックアーム１２ｅを係合させることでカバーハウジング１２をベースハウジング１４に仮止め状態で保持してもよい。尚、図１２に示す状態においては、フラットケーブル１００は、導体露出部分１００ｂが設けられている面がベース１１に対向するように配置される。
【００６７】
図１３は、コネクタ１とフラットケーブル１００の一部とを示す斜視図である。図１２に示すようにベースハウジング１４とこれに仮止めされたカバーハウジング１２との間にフラットケーブル１００を配置すると、次いで、図１３に示すように、フラットケーブル１００における一対の第１貫通孔１００ｅにベースハウジング１４における一対の第１係止突起１４ｃを貫通させる。図１４は、図１３における第１係止突起１４ｃ及びその近傍を拡大して示す斜視図である。図１４によく示すように、各第１係止突起１４ｃは、各第１貫通孔１００ｅを貫通することで、各第１貫通孔１００ｅの内周の縁部と係止することになる。
【００６８】
図１５は、コネクタ１がフラットケーブル１００に接続された状態を示す断面図である
。尚、図１５は、図５の正面図と平行な断面であって、任意のコンタクト１３に対応した位置での断面を図示している。上記のように一対の第１係止突起１４ｃと一対の第１貫通孔１００ｅとを係止させた後、カバーハウジング１２の天板部１２ａをベース１１に向かって押圧操作等することで、図５及び図１５に示すように、カバーハウジング１２がベースハウジング１４に取り付けられる。
【００６９】
カバーハウジング１２の上述の押圧操作等が行われると、まず、カバーハウジング１２の凸部１２ｂがフラットケーブル１００をベースハウジング１４の開口１４ａに向かって押し込むことになる。このとき、フラットケーブル１００は、その各第１貫通孔１００ｅがベースハウジング１４の各第１係止突起１４ｃに係止されているため、各第１貫通孔１００ｅの位置がベース１１に固定されたままの状態で凸部１２ｂによって開口１４ａ内に押し込まれることになる。そして、凸部１２ｂが開口１４ｃの奥まで押し込まれ、ベースハウジング１４に当接するフラットケーブル１００に天板部１２ａが当接すると、図１５に示すように、カバーハウジング１２のベースハウジング１５への取り付けが完了し、コネクタ１がフラットケーブル１００に接続された接続完了状態となる。
【００７０】
図５及び図１５に示す上記の接続完了状態では、ロックアーム１２ｅが係合ロック部１４ｆに係合し、カバーハウジング１２がベースハウジング１４に係合して取り付けられた状態となっている。そして、このようにカバーハウジング１２がベースハウジング１４に取り付けられることで、導体露出部分１００ｂが複数のコンタクト１３に接触するとともに、フラットケーブル１００がカバーハウジング１２の凸部１２ｂによって各コンタクト１３に対して押圧されて保持された状態となっている。これにより、導体露出部分１００ｂの各導体１００ｄが各コンタクト１３とそれぞれ電気的に接触した状態で、フラットケーブル１００がカバーハウジング１２とベース１１との間で保持されることになる。尚、ベースハウジング１４の第１係止突起１４ｃがフラットケーブル１００の第１貫通孔１００ｅに係止していることで、カバーハウジング１２がベースハウジング１４に取り付けられて凸部１２ｂが開口１４ｃに押し込まれた際に、導体露出部分１００ｂの位置がコンタクト１３に対して接触するように位置決めされることになる。
【００７１】
また、上記の接続完了状態では、凸部１２ｂは、フラットケーブル１００を押圧した状態でフラットケーブル１００の伸張方向と垂直な方向に沿って配置された状態となる。そして、凸部１２ｂがフラットケーブル１００を押圧することで、フラットケーブル１００が複数個所（本実施形態では４箇所）で略直角に屈曲した状態でカバーハウジング１２とベース１１との間で保持される。図１６は、図１５における導体露出部分１００ｂ及びその近傍を拡大して示す断面図である。図１５及び図１６に示すように、接続完了状態では、フラットケーブル１００における屈曲した箇所の間の凸部１２ｂの側面に沿って配置された導体露出部分１００ｂに対して、コンタクト１３のケーブル側接続部１３ｃの先端部が直交する方向から当接するように配置されて接触することになる。また、ケーブル側接続部１３ｃは、このように導体露出部分１００ｂに接触するとともに、導体露出部分１００ｂの位置においてフラットケーブル１００を凸部１２ｂに押圧し、凸部１２ｂとともにフラットケーブル１００を保持している。そして、ケーブル側接続部１３ｃが導体露出部分１００ｂに当接する側と凸部１２ｂを介した反対側においては、ケーブル押さえ部１３ｄがフラットケーブル１００を凸部１２ｂに対して押圧し、ケーブル押さえ部１３ｄと凸部１２ｂとがフラットケーブル１００を保持している（図１５参照）。
【００７２】
また、上記の接続完了状態では、ベースハウジング１４の各第１係止突起１４ｃは、フラットケーブル１００の各第１貫通孔１００ｅを貫通してカバーハウジング１２の各係合孔１２ｃに係合している。このように第１係止突起１４ｃが係合孔１２ｃに係合することで、カバーハウジング１２とベースハウジング１４との間でフラットケーブル１００が更に保持されている。尚、フラットケーブル１００においては、このフラットケーブル１０
０が凸部１２ｂに押圧された状態でこの凸部１２ｂに隣接する部分の中心位置（図１５において一点鎖線Ｃで示す位置）に対してフラットケーブル１００の伸張方向における同じ側に導体露出部分１００ｂと第１貫通孔１００ｅとが配置されている。
【００７３】
また、上記の接続完了状態では、各第２貫通孔１００ｆは、フラットケーブル１００が凸部１２ｂに押圧された状態でこのフラットケーブル１００における凸部１２ｂに隣接する部分を介して第１貫通孔１００ｅに対してフラットケーブル１００の伸張方向における反対側に配置されている。そして、ベースハウジング１４の各第２係止突起１４ｄが、各第２貫通孔１００ｆを貫通して、各第２貫通孔１００ｆの内周の縁部と係止することになる。このように、第２係止突起１４ｄは、凸部１２ｂがフラットケーブル１００を押圧した状態で第２貫通孔１００ｆに係止して、フラットケーブル１００における第２貫通孔１００ｆの位置をベース１１に対して位置決めすることになる。また、この接続完了状態においては、各第２係止突起１４ｄは、各第２貫通孔１００ｆを貫通してカバーハウジング１２の各係合孔１２ｄに係合している。このように第２係止突起１４ｄが係合孔１２ｄに係合することで、カバーハウジング１２とベースハウジング１４との間でフラットケーブル１００が更に保持されている。
【００７４】
上述したようにコネクタ１がフラットケーブル１００に対して導体露出部分１００ｂに対応した位置で接続される。そして、複数のコネクタ１をフラットケーブル１００における複数の導体露出部分１００ｂに対応した位置で順次接続することで、図１及び図２に示すように、複数のコネクタ１が１つのフラットケーブル１００にデイジーチェーン接続されたハーネス１０が得られることになる。尚、フラットケーブル１００の両端部における導体末端部分１００ｃに対しても、コネクタ１が接続される。フラットケーブル１００においては、導体末端部分１００ｃに対して所定距離だけ離れた位置に第１貫通孔１００ｅと同様の貫通孔が形成されている。そして、前述したコネクタ１の接続方法と同様の接続方法によって、コンタクト１３と導体末端部分１００ｃとが電気的に接続されるとともに、フラットケーブル１００の端部がコネクタ１で保持される。尚、フラットケーブル１００における一方の端部の導体末端部分１００ｃと他方の端部の導体末端部分１００ｃとに対しては、コンタクト１３のケーブル側接続部１３ｃの位置を対応させるようにコネクタ１の向きが適宜調整されることになる。
【００７５】
以上説明したコネクタ１によると、カバーハウジング１２がベース１１のベースハウジング１４に係合して取り付けられることで、フラットケーブル１００がその端部以外の位置においてコネクタ１に保持される。そして、フラットケーブル１００には、その伸張方向における中途において導体露出部１００ｂが設けられており、カバーハウジング１２がベースハウジング１４に取り付けられることで、フラットケーブル１００は、導体露出部分１００ｂがコンタクト１３に対して押圧された状態で保持される。このため、フラットケーブル１００における導体１００ｄが配置された部分に貫通孔が開けられることなく、フラットケーブル１００の導体１００ｄとコンタクト１３との電気的接続が確保され、フラットケーブル１００がコネクタ１に接続されて保持される。そして、１つのフラットケーブル１００にその端部以外の位置に複数の導体露出部分１００ｂを設けることで、１つのフラットケーブル１００に対してその端部以外の位置において複数のコネクタ１を接続することができる。また、１つのフラットケーブル１００を用いてデイジーチェーン接続のように３つ以上のコネクタ１を接続することを、フラットケーブル１００における導体１００ｄが配置された部分に貫通孔を開けることなく実現することができる。
【００７６】
従って、本実施形態によると、フラットケーブル１００における導体１００ｄが配置された部分に貫通孔を開けることなく、１つのフラットケーブル１００に対してその端部以外の位置において複数のコネクタ１を接続することができる。
【００７７】
また、コネクタ１によると、カバーハウジング１２には、ベースハウジング１４への取り付け方向に突出した凸部１２ｂが形成され、この凸部１２ｂによってフラットケーブル１００が押圧保持される。このため、凸部１２ｂを設けるという簡素な構成によって、カバーハウジング１２のベースハウジング１４への取り付け時に同時にフラットケーブル１００を押圧可能な構成を容易に形成することができる。
【００７８】
また、コネクタ１によると、矩形断面で直線状に延びる凸部１２ｂによってフラットケーブル１００がその伸張方向と垂直な方向に沿って押圧される。このため、簡素な構成の凸部１２ｂによって効率よくフラットケーブル１００の導体露出部分１００ｂとコンタクト１３とを接触させてフラットケーブル１００を押圧保持することができる。
【００７９】
また、コネクタ１によると、フラットケーブル１００における屈曲箇所の間で凸部１２ｂの側面に沿って配置された導体露出部分１００ｂに向かってコンタクト１３の先端部が直交する方向から接触することになる。このため、カバーハウジング１２のベースハウジング１４への係合取り付け状態の経時変化によるガタ等の緩みが発生したり、コネクタ１の熱膨張が発生しても、導体露出部分１００ｂとコンタクト１３との安定した接触状態を確保することができる。
【００８０】
また、コネクタ１によると、フラットケーブル１００に第１の位置決め部である第１貫通孔１００ｅが形成され、ベースハウジング１４に突起状の第１の係止部である第１係止突起１４ｃが形成されている。そして、第１貫通孔１００ｅに第１係止突起１４ｃが係止することで、導体露出部分１００ｂの位置がコンタクト１３に接触するように位置決めされる。このため、コネクタ１をフラットケーブル１００に接続する際に、第１貫通孔１００ｅと第１係止突起１４ｃとを係止させることで、容易に導体露出部分１００ｂとコンタクト１３との接触を確保することができる。また、貫通孔を設けるだけで、第１の位置決め部を容易に形成することができる。
【００８１】
また、コネクタ１によると、カバーハウジング１２において、第１貫通孔１００ｅを貫通した第１係止突起１４ｃと係合する第１の係合孔である係合孔１２ｃが形成されている。これにより、フラットケーブル１００が、カバーハウジング１２の凸部１２ｂとコンタクト１３との間での保持に加えて、カバーハウジング１２の係合孔１２ｃとベースハウジング１４の第１係止突起１４ｃとの間でも更に保持される。よって、ベース１１とカバーハウジング１２との間で、より強固にフラットケーブル１００を保持することができる。
【００８２】
また、コネクタ１によると、第１貫通孔１００ｅがフラットケーブル１００の幅方向両側に形成されているため、第１貫通孔１００ｅによってフラットケーブル１００がその幅方向両側で係止され、導体露出部分１００ｂの位置がコンタクト１３に接触するように位置決めされる。このため、導体露出部分１００ｂとコンタクト１３とを接触させる位置決めの際に、フラットケーブル１００の幅方向における位置が不安定になってしまうことが防止され、より容易に位置決めを行うことができる。
【００８３】
また、コネクタ１によると、フラットケーブル１００において、凸部１２ｂに隣接する部分の中心位置に対して同じ側に導体露出部分１００ｂと第１貫通孔１００ｅとが配置されるため、導体露出部分１００ｂに対してより接近した位置に第１貫通孔１００ｅが配置されることになる。これにより、凸部１２ｂでフラットケーブル１００をベース１１に押し込むようにしながらカバーハウジング１２をベースハウジング１４に取り付ける際に、第１貫通孔１００ｅに対する導体露出部分１００ｂの相対的な位置の変化をより少なくすることができる。このため、導体露出部分１００ｂとコンタクト１３とを接触させる位置決めの際に、位置決めの誤差を更に小さくしてより位置決め精度を向上させることができる。
【００８４】
また、コネクタ１によると、フラットケーブル１００において、凸部１２ｂに隣接する部分を介して第１貫通孔１００ｅと反対側に第２の位置決め部である第２貫通孔１００ｆが形成される。そして、第２貫通孔１００ｆは、ベースハウジング１４に形成された突起状の第２の係止部である第２係止突起１４ｄに係止して位置決めされる。このため、第１貫通孔１００ｅと第１係止突起１４ｃとによって導体露出部分１００ｂとコンタクト１３との接触が確保された状態のフラットケーブル１００をベース１１に対して、凸部１２ｂと反対側の第２貫通孔１００ｆと第２係止突起１４ｄとによっても更に位置決めすることができる。これにより、導体露出部分１００ｂの位置をコンタクト１３に接触させるようにフラットケーブル１００の伸張方向における両側から位置決めすることができ、導体露出部分１００ｂのコンタクト１３に対する位置のずれが発生してしまうことを抑制できる。また、貫通孔を設けるだけで、第２の位置決め部を容易に形成することができる。
【００８５】
また、コネクタ１によると、カバーハウジング１２において、第２貫通孔１００ｆを貫通した第２係止突起１４ｄと係合する第２の係合孔である係合孔１２ｄが形成されている。これにより、フラットケーブル１００が、凸部１２ｂとコンタクト１３との間での保持と、係合孔１２ｃと第１係止突起１４ｃとの間での保持に加え、係合孔１２ｄと第２係止突起１４ｄとの間でも更に保持される。よって、ベース１１とカバーハウジング１２との間で、より強固にフラットケーブル１００を保持することができる。
【００８６】
また、本実施形態に係るハーネス１０によると、上述したコネクタ１と同様の効果を奏するハーネスを実現することができる。従って、本実施形態によると、フラットケーブル１００における導体１００ｄが配置された部分に貫通孔を開けることなく、１つのフラットケーブル１００に対してその端部以外の位置において複数のコネクタ１を接続することができる、ハーネス１０を提供することができる。また、導体１００ｄが配置された部分に貫通孔が開けられることなく１つのフラットケーブル１００に対して複数のコネクタ１がデイジーチェーン接続されたハーネス１０を容易に形成することができる。
【００８７】
以上、本発明の実施形態について説明したが、本発明は上述の実施の形態に限られるものではなく、特許請求の範囲に記載した限りにおいて様々な変更が可能なものである。例えば、次のように変更して実施してもよい。
【００８８】
（１）本実施形態では、１つのフラットケーブルに対して導体露出部分が複数設けられている場合を例にとって説明したが、この通りでなくてもよい。即ち、１つのフラットケーブルの中途位置において導体露出部分が１つだけ設けられている場合であっても、本発明を適用することができる。
【００８９】
（２）本実施形態では、カバーハウジングにおいて、第１の係止部に係合する第１の係合孔と、第２の係止部に係合する第２の係合孔とが設けられているものを例にとって説明したが、この通りでなくてもよい。第１の係合孔ではなく、第１の係止部に係合する第１の係合凹部が設けられていてもよい。また、第２の係合孔ではなく、第２の係止部に係合する第２の係合凹部が設けられていてもよい。
【００９０】
（３）本実施形態では、第１の位置決め部としての第１貫通孔１００ｅと第２の位置決め部としての第２貫通孔１００ｆとが設けられたフラットケーブル１００を例にとって説明したが、この通りでなくてもよく、フラットケーブルを種々変更して本発明を適用することができる。図１７は、本発明が適用されるフラットケーブルの変形例を示す図であって、変形例に係るフラットケーブル１０２の一部を示す平面図である。尚、フラットケーブル１０２においてフラットケーブル１００と同様に構成される要素については、図１７において同一の符号を付して説明を省略する。
【００９１】
フラットケーブル１０２においては、フラットケーブル１００とは異なり、第１の位置決め部として、第１貫通孔１００ｅではなく第１突出部分１０２ａが設けられている。この第１突出部分１０２ａは、フラットケーブル１０２の側方においてこのフラットケーブル１０２の伸張方向（図１７中において両端矢印Ｄで示す方向）と垂直な方向に向かって被覆部分１００ａの一部が突出した部分として形成されている。このフラットケーブル１０２に対しても、コネクタ１が接続される。そして、コネクタ１のベースハウジング１４に形成された第１係止突起１４ｃが、フラットケーブル１０２の側方でフラットケーブル１０２と直交する方向に沿って突出して第１突出部分１０２ａと係止することになる。この変形例によると、第１の位置決め部がフラットケーブル１０２の側方で伸張方向と垂直に突出した部分として形成され、この第１突出部分１０２ａにフラットケーブル１０２の側方で第１係止突起１４ｃを係止させることで、容易に導体露出部分１００ｂとコンタクト１３との接触を確保することができる。また、フラットケーブル１０２の側方に突出した部分を設けるだけで、第１の位置決め部を容易に形成することができる。
【００９２】
また、フラットケーブル１０２においては、フラットケーブル１００とは異なり、第２の位置決め部として、第２貫通孔１００ｆではなく第２突出部分１０２ｂが設けられている。この第２突出部分１０２ｂは、フラットケーブル１０２の側方においてこのフラットケーブル１０２の伸張方向と垂直な方向に向かって被覆部分１００ａの一部が突出した部分として形成されている。そして、フラットケーブル１０２に対して接続されるコネクタ１のベースハウジング１４に形成された第２係止突起１４ｄが、フラットケーブル１０２の側方でフラットケーブル１０２と直交する方向に沿って突出して第２突出部分１０２ｂと係止することになる。この変形例によると、第２の位置決め部がフラットケーブル１０２の側方で伸張方向と垂直に突出した部分として形成され、この第２突出部分１０２ｂにフラットケーブル１０２の側方で第２係止突起１４ｄを係止させることで、導体露出部分１００ｂのコンタクト１３に対する位置のずれが発生することを容易に抑制することができる。また、フラットケーブル１０２の側方に突出した部分を設けるだけで、第２の位置決め部を容易に形成することができる。
【００９３】
（４）図１８は、本発明が適用されるフラットケーブルの他の変形例を示す図であって、変形例に係るフラットケーブル１０３の一部を示す平面図である。尚、フラットケーブル１０３においてフラットケーブル１００と同様に構成される要素については、図１８において同一の符号を付して説明を省略する。
【００９４】
フラットケーブル１０３においては、フラットケーブル１００とは異なり、第２の位置決め部として、円形の第２貫通孔１００ｆではなく長孔状の貫通孔１０３ａが設けられている。この貫通孔１０３ａは、フラットケーブル１０３の幅方向両側においてこのフラットケーブル１０３の伸張方向（図１８中において両端矢印Ｅで示す方向）に沿ってそれぞれ延びる長孔状に形成されている。コネクタ１をフラットケーブル１０３に接続する際には、ベースハウジング１４に形成された第２係止突起１４ｄが、長孔状の貫通孔１０３ａを貫通するよう配置される。そして、カバーハウジング１２の凸部１２ｂがベース１１に対して相対変位しているときは貫通孔１０３ａの内側における第２係止突起１４ｄの相対位置が変位し、凸部１２ｂのベース１１に対する相対変位が終了したときには第２係止突起１４ｄが長孔状の貫通孔１０３ａとその端部位置にて係止する。
【００９５】
この変形例によると、第２の位置決め部がフラットケーブル１０３の幅方向両側で長孔状の貫通孔１０３ａとして形成されている。そして、この長孔状の貫通孔１０３ａに第２係止突起１４ｄを貫通させた状態でカバーハウジング１２をベースハウジング１４に取り付けることで、その取り付け中には第２係止突起１４ｄが長孔である貫通孔１０３ａの長手方向に沿って相対変位し、取り付け終了時には第２係止突起１４ｄが貫通孔１０３ａと
係止する。このため、カバーハウジング１２の取り付け中においても第２の位置決め部と第２係止突起１４ｄとの位置関係が自動的に調整され、導体露出部分１００ｂのコンタクト１３に対する位置のずれが発生することを更に容易に抑制することができる。
【００９６】
（５）図１９は、本発明が適用されるフラットケーブルの他の変形例を示す図であって、変形例に係るフラットケーブル１０４の一部を示す平面図である。尚、フラットケーブル１０４においてフラットケーブル１００と同様に構成される要素については、図１９において同一の符号を付して説明を省略する。
【００９７】
フラットケーブル１０４においては、フラットケーブル１００とは異なり、第２の位置決め部として、第２貫通孔１００ｆではなく切欠部１０４ａが設けられている。この切欠部１０４ａは、フラットケーブル１０４の幅方向両側においてこのフラットケーブル１０４の伸張方向（図１９中において両端矢印Ｆで示す方向）に沿ってそれぞれ延びるように切り欠かれた部分として形成されている。コネクタ１をフラットケーブル１０４に接続する際には、ベースハウジング１４に形成された第２係止突起１４ｄが、切欠部１０４ａの側方でフラットケーブル１０４と直交する方向に沿って突出するよう配置される。そして、カバーハウジング１２の凸部１２ｂがベース１１に対して相対変位しているときは切欠部１０４ａの側方における第２係止突起１４ｄの相対位置が変位し、凸部１２ｂのベース１１に対する相対変位が終了したときには第２係止突起１４ｄが切欠部１０４ａとその端部位置にて係止する。
【００９８】
この変形例によると、第２の位置決め部がフラットケーブル１０４の幅方向両側で長く延びる切欠部１０４ａとして形成されている。そして、この切欠部１０４ａの側方で第２係止突起１４ｄを突出させた状態でカバーハウジング１２をベースハウジング１４に取り付けることで、その取り付け中には第２係止突起１４ｄが切欠部１０４ａの延在方向に沿って相対変位し、取り付け終了時には第２係止突起１４ｄが切欠部１０４ａと係止する。このため、カバーハウジング１２の取り付け中においても第２の位置決め部と第２係止突起１４ｄとの位置関係が自動的に調整され、導体露出部分１００ｂのコンタクト１３に対する位置のずれが発生することを更に容易に抑制することができる。
【００９９】
（６）本実施形態では、各コンタクトがフラットケーブルの導体に対して１箇所で接触するものを例にとって説明したが、この通りでなくてもよい。例えば、フラットケーブルにおいて各コネクタに対応する導体露出部分が複数個所設けられ、その複数個所の導体露出部分に対して各コンタクトが複数個所で接触するものであってもよい。図２０は、この変形例に係るフラットケーブル用コネクタ２（以下、「コネクタ２」という）の断面図であって、本実施形態の図１５に対応する断面を示した図である。また、図２１は、コネクタ２が適用されるフラットケーブルを例示した図であって、変形例に係るフラットケーブル１０５の一部を示す平面図である。尚、コネクタ２及びフラットケーブル１０５において本実施形態と同様に構成される要素については、図２０及び図２１において同一の符号を付して説明を省略する。
【０１００】
図２１に示すように、フラットケーブル１０５においては、第１貫通孔１００ｅに近い側に設けられる導体露出部分１００ｂと同様に形成される導体露出部分１０５ａが、第２貫通孔１００ｆに近い側にも設けられている。これらの導体露出部分１００ｂ及び導体露出部分１０５ａは、フラットケーブル１０５の伸張方向（図２１中において両端矢印Ｇで示す方向）と垂直な方向で平行に延びるように設けられている。
【０１０１】
また、コネクタ２は、図２０に示すように、ベース１１１と、カバーハウジング１２とを備えて構成されている。ベース１１１は、本実施形態のコンタクト１３と同様に構成されるコンタクト１３２と、本実施形態のベースハウジング１４と同様に構成されるベース
ハウジング１４２とを備えて構成されている。但し、コンタクト１３２は、ケーブル押さえ部１３ｄが設けられておらず、ケーブル側接続部１３ｃに加えて更にもう一つケーブル側接続部１３２ａが設けられている点で、コンタクト１３とは異なっている。尚、ケーブル側接続部１３２ａは、本体部１３ａに対して垂直に突出してケーブル側接続部１３ｃと平行に延びるように設けられている。また、ベースハウジング１４２は、ケーブル側接続部１３２ａが更に設けられたコンタクト１３を支持可能な形状に形成されている点で、ベースハウジング１４とは異なっている。
【０１０２】
上述したコネクタ２においては、カバーハウジング１２がベースハウジング１４２に取り付けられると、ケーブル側接続部１３ｃの先端部が導体露出部分１００ｂに接触し、ケーブル側１３２ａの先端部が導体露出部分１０５ａに接触する。そして、ケーブル側接続部１３ｃ及びケーブル側接続部１３２ａと、凸部１２ｂとの間で、フラットケーブル１０５が押圧されて保持されることになる。このように、複数個所で各コンタクト１３２とフラットケーブル１０５の各導体１００ｄとが接触するコネクタ２を構成してもよい。
【０１０３】
（７）図２２は、図２０に示す変形例に係るコネクタ２が接続されるフラットケーブルの変形例を示す図であって、変形例に係るフラットケーブル１０６の一部を示す平面図である。また、図２３は、コネクタ２がフラットケーブル１０６に接続された状態を示す断面図であって、図２０に対応する断面を示した図である。尚、コネクタ２と、フラットケーブル１０６において本実施形態と同様に構成される要素とについては、図２２及び図２３において同一の符号を付して説明を省略する。
【０１０４】
図２２に示すように、フラットケーブル１０６においては、フラットケーブル１０６の伸張方向（図２２中において両端矢印Ｈで示す方向）と垂直な方向に亘って延びる導体露出部分１０６ａが、フラットケーブル１０６の伸張方向にも長く延びるように設けられている。そして、図２３に示すように、カバーハウジング１２がベースハウジング１４２に取り付けられると、フラットケーブル１０６の伸張方向にも長く延びた導体露出部分１０６ａに対して、ケーブル側接続部１３ｃの先端部とケーブル側接続部１３２ａの先端部とがいずれも接触する。そして、ケーブル側接続部１３ｃ及びケーブル側接続部１３２ａと、凸部１２ｂとの間で、フラットケーブル１０６が押圧されて保持されることになる。このように、複数個所で各コンタクト１３２とフラットケーブル１０６の各導体１００ｄとを接触させる構成を実施してもよい。
【０１０５】
（８）本実施形態では、ベースハウジングにおいて複数のコンタクトが同じ姿勢で配置されているものを例にとって説明したが、この通りでなくてもよい。例えば、ベースハウジングにおいて、隣り合うコンタクトが交互に逆向きの姿勢で配置されているものであってもよい。この場合、この変形例に係るコネクタが接続されるフラットケーブルとしては、図２１や図２２で示したフラットケーブルを用いることができる。
【０１０６】
（９）本実施形態では、直線状に形成された１つのフラットケーブルに対して複数のコネクタが直列にデイジーチェーン接続で接続されたハーネスを例にとって説明したが、この通りでなくてもよく、分岐部を有するように形成された１つのフラットケーブルに対して複数のコネクタが接続されたハーネスを実施してもよい。図２４は、この変形例に係るハーネス１１０を示す平面図である。尚、本実施形態と同様の要素については、図２４において同一の符号を付して説明を省略する。図２４に示すハーネス１１０は、複数のコネクタ１と１つのフラットケーブル１０７とを備えて構成されている。フラットケーブル１０７は、平行に配列された複数の導体が絶縁被覆されて形成されているとともに、枝分かれするように分岐した分岐部が設けられている。そして、分岐部も含めて、フラットケーブル１０７にはその伸張方向に沿って複数のコネクタ１が接続されている。このように、本発明は、分岐部を有するフラットケーブルに対しても適用することができる。
【産業上の利用可能性】
【０１０７】
本発明は、平行に配列された複数の導体が絶縁被覆されて形成されたフラットケーブルに接続されるフラットケーブル用コネクタ、及びこのフラットケーブル用コネクタを備えるハーネスとして、広く適用することができるものである。
【符号の説明】
【０１０８】
１              フラットケーブル用コネクタ
１１            ベース
１２            カバーハウジング
１３            コンタクト
１４            ベースハウジング
１００          フラットケーブル
１００ａ        被覆部分
１００ｂ        導体露出部分
１００ｄ        導体
【図１】
2010272235.tif 000003
【図２】
2010272235.tif 000004
【図３】
2010272235.tif 000005
【図４】
2010272235.tif 000006
【図５】
2010272235.tif 000007
【図６】
2010272235.tif 000008
【図７】
2010272235.tif 000009
【図８】
2010272235.tif 000010
【図９】
2010272235.tif 000011
【図１０】
2010272235.tif 000012
【図１１】
2010272235.tif 000013
【図１２】
2010272235.tif 000014
【図１３】
2010272235.tif 000015
【図１４】
2010272235.tif 000016
【図１５】
2010272235.tif 000017
【図１６】
2010272235.tif 000018
【図１７】
2010272235.tif 000019
【図１８】
2010272235.tif 000020
【図１９】
2010272235.tif 000021
【図２０】
2010272235.tif 000022
【図２１】
2010272235.tif 000023
【図２２】
2010272235.tif 000024
【図２３】
2010272235.tif 000025
【図２４】
2010272235.tif 000026